(57)【特許請求の範囲】
【請求項１】
呼出ボタンと先端にプラグを設けたコードとを有する握り押し釦を、少なくとも前記プラグを取り付けるための差込口を有し、壁面に設けられたウォールユニットに懸架するためのナースコール子機用ホルダであって、
ホルダ本体と、
前記ホルダ本体の一端に設けられ、前記プラグを挿入可能な支持孔と、
前記ホルダ本体の他端に設けられ、前記握り押しボタンの筐体を把持する把持部と、
を備え、前記ホルダ本体が前記支持孔の上面により前記プラグに支持されることを特徴とするナースコール子機用ホルダ。
【請求項２】
前記ホルダ本体の前記ウォールユニットに対向する面の形状を、前記ウォールユニットの凹凸形状に合わせるように形成したことを特徴とする請求項１に記載のナースコール子機用ホルダ。
【発明の詳細な説明】
【技術分野】
【０００１】
本発明は、ナースコール子機のプラグを接続する差込口を備えて構成されたウォールユニットに使用することで、ハンガー部を持たないナースコール子機を懸架するナースコール子機用ホルダに関する。
【背景技術】
【０００２】
一般的に、ナースコールシステムは、ベッドサイド等に設置されるナースコール子機と、ベッドサイド等の壁面に埋め込み設置されるウォールユニットと、病室の出入口近傍に設置される廊下灯と、看護師などの医療従事者が常駐するナースステーション等に設置されるナースコール親機とを備えて構成されている。
【０００３】
ナースコール子機には、呼出ボタンの他にスピーカーおよびマイクを備えて通話を可能としたタイプのハンド形子機と呼ばれるナースコール子機や、呼出ボタンのみを備えたタイプの握り押しボタンと呼ばれるナースコール子機が存在する。
【０００４】
また、ウォールユニットにも種々のタイプが存在する。例えば、ナースコール子機のコードの先端に設けられたプラグを接続する差込口（プラグ受け）を備えるとともに、呼出ボタン、スピーカー、マイクを備えて通話を行うことが可能なタイプの壁埋込形子機と呼ばれるウォールユニットが存在する。また、ナースコール子機のプラグを接続する差込口を備えているが、呼出ボタン、スピーカー、マイクを備えていないタイプのコンセントと呼ばれるウォールユニットも存在する。
【０００５】
また、ウォールユニットの中には、差込口の他にハンド形子機が備えるハンガー部を懸架することが可能なフックを備えたものも存在する。通常、ハンド形子機にはハンガー部を有しているものが多いため、ウォールユニットのフックにハンド形子機のハンガー部を懸架することが可能である。しかしながら、一般的な握り押しボタンはハンガー部を持たないため、フックに懸架することができない。
【０００６】
なお、握り押しボタンのコードをフックに掛けることにより、握り押しボタンをウォールユニットに吊るすことは一応可能である。しかし、コードがフックに固定されているわけではないので安定性が悪く、握り押しボタンの自重や患者等との接触によってはコードがフックから外れ、握り押しボタンが落ちやすくなってしまうという問題があった。
【０００７】
このような問題に対して、ウォールユニットに立設され、先端部がテーパを有し先細形状となっている突出部と、突出部の先端に設けられたカップ形状の部材であって、当該カップ形状の底部が突出部の先端に連設されたカップ部とを備え、カップ部がその底部を支点としてカップ形状を外側および内側に反転可能な弾性を有し、カップ部の縁部分にコードを通すための切欠き部を形成するフックが知られている（例えば、特許文献１参照）。この特許文献１に記載のフックを用いれば、握り押しボタン自体をフックに懸架することはできないものの、握り押しボタンのコードがカップ部に覆われて固定されるため、握り押しボタンのコードを安定的に懸架することが可能である。
【先行技術文献】
【特許文献】
【０００８】
【特許文献１】特開２０１５−４５３５８号公報
【発明の概要】
【発明が解決しようとする課題】
【０００９】
しかしながら、上述した特許文献１に記載の技術では、ウォールユニットにフックを立設する必要があるため、このようなフックを備えていないウォールユニットを設置している場所には握り押しボタンを安定的に懸架することができないという問題があった。
【００１０】
本発明は、このような問題を解決するために成されたものであり、ハンガー部を持たない握り押しボタンを、コードを保持する機能を持つフックを備えていないウォールユニットにおいて安定的に懸架することができるようにすることを目的とする。
【課題を解決するための手段】
【００１１】
上述した課題を解決するために、本発明では、ナースコール子機の握り押しボタンのコードの先端に設けられたプラグを挿入可能な支持孔を一端に有するホルダ本体の他端に握り押しボタンの筐体を把持する把持部を備え、ホルダ本体が支持孔の上面によりプラグに支持されるようにしている。
【００１２】
また、本発明の他の態様によれば、ホルダ本体のウォールユニットに対向する面の形状を、ウォールユニットの凹凸形状に合わせるようにしている。
【発明の効果】
【００１３】
上記のように構成した本発明によれば、握り押しボタンのプラグを、支持孔を介してウォールユニットの差込口に接続した場合に、支持孔の上部により本体が支持されるとともに、握り押しボタンの筐体が把持部によって保持されるので、ハンガー部を持たない握り押しボタンを、コードを保持する機能を持つフックを備えていないウォールユニットにおいて安定的に懸架することができる。
【００１４】
また、本発明の他の態様によれば、ホルダ本体のウォールユニットに対向する面の形状がウォールユニットの凹凸形状に合致するので、ホルダ本体とウォールユニットとを密着させることで、ホルダ本体が支持孔を中心として回転することを防止することができる。
【図面の簡単な説明】
【００１５】
【図１】本実施形態によるナースコール子機用ホルダの構成例を示す図である。
【図２】本実施形態のナースコール子機用ホルダをウォールユニットに取り付けた状態を示す図である。
【図３】本実施形態のナースコール子機用ホルダに握り押しボタンを懸架した状態を示す図である。
【発明を実施するための形態】
【００１６】
以下、本発明の一実施形態を図面に基づいて説明する。図１は、本実施形態によるナースコール子機用ホルダの構成例を示す図である。図１（ａ）は正面図、図１（ｂ）は左側面図、図１（ｃ）は底面図、図１（ｄ）は平面図を示している。
【００１７】
図１に示すように、本実施形態のナースコール子機用ホルダは、ホルダ本体１と、ホルダ本体１のウォールユニットへの取り付け面側にある一端に設けた支持孔２と、ホルダ本体１のウォールユニットへの取り付け面側の反対側にある他端に設けた把持部３と、ナースコール子機である握り押しボタンに設けたコードをホルダ本体１の外部に逃がすためのコード用切欠き部４とを備えて構成されている。
【００１８】
ここで、ホルダ本体１は、常温で弾性を持つ高分子物質であるエラストマー素材等により構成される。なお、ホルダ本体１を必ずしもエラストマー素材により構成する必要は無いが、滑り止めの性能も有している点でエラストマー素材を用いることが好ましい。また、支持孔２は、後述するナースコール子機である握り押しボタンのコードの先端に設けたプラグの大きさよりも大きめの貫通孔により構成される。また、把持部３は、後述する握り押しボタンの筐体を挟み込むように把持する大きさである。また、把持部３がホルダ本体１と一体成型されていることから、把持部３の幅を握り押しボタンの筐体の幅よりも小さく形成することにより、把持部３がその弾性力によって握り押しボタンの筐体を好適に把持することができる。
【００１９】
図２は、本実施形態のナースコール子機用ホルダをウォールユニットに取り付けた状態を示す図である。図２（ａ）は左側面図、図２（ｂ）は正面図を示している。図２に示すように、ウォールユニットは、壁面に取り付けられており、握り押しボタンのコードの先端に設けられたプラグを接続可能な差込口と、握り押しボタンが押された後に医療従事者等により操作され、ナースコール子機を握り押しボタンが押される前の状態に戻すための復旧ボタンとを備えて構成されている。また、ウォールユニットには、図２（ｂ）中の左端および右端に曲線状の突出部が形成されている。
【００２０】
このように構成されたウォールユニットに対して、ホルダ本体１のウォールユニットへの取り付け面側を密着させつつ、ウォールユニットの差込口にホルダ本体１の支持孔２の位置を合わせる。この状態で、ホルダ本体１のウォールユニットへの取り付け面は、ウォールユニットとウォールユニットの突出部とによって形成される凹凸形状に合致する。なお、この状態では、ナースコール子機用ホルダのホルダ本体１は、ウォールユニットに対して固定されていないため、設置者などが手でホルダ本体１を保持しておく必要がある。
【００２１】
図３は、本実施形態のナースコール子機用握り押しボタンを懸架した状態を示す図である。ナースコール子機である握り押しボタンは、筐体の一端に設けた呼出ボタンと、他端に設けたコードとを備えて構成されており、コードの先端にはプラグ（図３中点線にて表記）が取り付けられている。
【００２２】
図２に示すホルダ本体１を保持した状態で、握り押しボタンのプラグをウォールユニットの差込口に取り付けると、図３に示すように、ホルダ本体１は支持孔２の上面によりプラグに支持される。一方、握り押しボタンの筐体を把持部３によって挟み込むように懸架することで、握り押しボタンの筐体は把持部３によって保持される。このとき、プラグから伸びたコードは、コード用切欠き部４によりホルダ本体１の外部に逃されるため、コードと握り押しボタンの筐体とが干渉することが無くなる。
【００２３】
ここで、図３に示すようにコード用切欠き部４をホルダ本体１に対して下方に設けるのではなく、左方向や右方向、上方向に設けるようにしても良いが、コード用切欠き部４をホルダ本体１に対して下方に設けることで、コードの自重がホルダ本体１の前方（図３中右側）への離脱を抑制する効果があるため、コード用切欠き部４はホルダ本体１の下方に設けることが好ましい。
【００２４】
以上詳しく説明したように、本実施形態によれば、ナースコール子機の握り押しボタンのコードの先端に設けられたプラグを挿入可能な支持孔２を一端に有するホルダ本体１の他端に握り押しボタンの筐体を把持する把持部３を備えるようにしている。
【００２５】
これにより、握り押しボタンのプラグを、支持孔２を介してウォールユニットの差込口に接続した場合に、支持孔２の上部によりホルダ本体１が支持されるとともに、握り押しボタンの筐体が把持部３によって保持されるので、ハンガー部を持たない握り押しボタンを、コードを保持する機能を持つフックを備えていないウォールユニットにおいて安定的に懸架することができる。
【００２６】
また、本実施形態によれば、ホルダ本体１のウォールユニットに対向する面の形状を、ウォールユニットの凹凸形状に合わせるようにして、ホルダ本体１とウォールユニットとを密着させることで、ホルダ本体１が支持孔２を中心として回転することを防止することができるので、握り押しボタンをウォールユニットにより安定的に懸架することができる。
【００２７】
なお、前述した実施形態では、把持部３を握り押しボタンの筐体を挟み込む形状としているが、これに限定されない。例えば、把持部を握り押しボタンの筐体の周囲を全周に渡って把持するリング形状としても良い。ただし、この場合、握り押しボタンのコードおよびプラグを予め把持部のリングに通しておく必要がある。
【００２８】
また、前述した実施形態では、プラグを取り付けるための差込口に加えて復旧ボタンがウォールユニットに設けられているが、これに限定されない。本実施形態では、少なくともプラグを取り付けるための差込口がウォールユニットに設けられていれば良く、ハンド形子機に設けたハンガー部を懸架するためのフックや、通話に用いられるマイクおよびスピーカー、握り押しボタンを操作した際に点滅または点灯する呼出確認灯等をウォールユニットに設けるようにしても良い。
【００２９】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００３０】
１    ホルダ本体
２    支持孔
３    把持部
４    コード用切欠き部
【図１】
0006537140.tif 000002
【図２】
0006537140.tif 000003
【図３】
0006537140.tif 000004